(57)【要約】【課題】竹刀、木刀又は刀の柄の正しい握り方の修得を通じて、正しい構えと素振りを短期間で正確に修得できる剣道素振り用グローブを提供することにある。【解決手段】竹刀、木刀又は刀の柄に装着される柄保持部１０ａ，１０ｂと、柄保持部１０ａ，１０ｂの表面に固定された指ガイド部２０ａ〜２４ａ，２０ｂ〜２４ｂとを有する。【選択図】　　　　図１
2004073470.tif 000002
【特許請求の範囲】
【請求項１】
剣道練習具であって、竹刀、木刀又は刀の柄に装着される柄保持部と、柄保持部の表面に固定された指ガイド部とを有することを特徴とする剣道素振り用グローブ。
【請求項２】
上記の指ガイド部は、竹刀、木刀又は刀の柄を上から握り、小指、薬指、中指を締め、人差し指と親指を軽く添えられる箇所に対応する柄保持部表面の各位置に固定して取り付けられていることを特徴とする請求項１に記載の剣道素振り用グローブ。
【請求項３】
上記の指ガイド部は指の関節が自由に動く構造であることを特徴とする請求項１又は請求項２に記載の剣道素振り用グローブ。
【請求項４】
上記の指ガイド部は、手の指を通すための、孔を有することを特徴とする請求項１〜請求項３の何れかに記載の剣道素振り用グローブ。
【請求項５】
上記の指ガイド部の孔は、容易に指が出し入れできる大きさであることを特徴とする請求項４に記載の剣道素振り用グローブ。
【請求項６】
上記の柄保持部は、竹刀、木刀又は刀の柄の接触部に滑り止め施してあることを特徴とする請求項１に記載の剣道素振り用グローブ。
【請求項７】
上記の柄保持部には、竹刀、木刀又は刀の柄に該柄保持部を固定するための面ファスナーを有することを特徴とする請求項１又は請求項６に記載の剣道素振り用グローブ。
【発明の詳細な説明】
【０００１】
【発明の属する技術分野】
この発明は、剣道練習具に係り、特に、竹刀、木刀又は刀による剣道の構え及び素振りの修得に用いる剣道素振り用グローブに関するものである。
【０００２】
【従来の技術】
従来、竹刀、木刀又は刀による剣道の構え及び素振りの修得は、指導者の経験による口伝指導が中心である。ところで、竹刀、木刀又は刀による剣道の構え及び素振りの修得においては、竹刀、木刀又は刀の柄の正しい握り方を修得することが重要である。
【０００３】
【発明が解決しようとする課題】
しかしながら、竹刀、木刀又は刀の柄を正しく握って素振りを始めても時間と共に手や指が疲れ又痛みが出てくると、徐々に正しい握り方から悪い握り方になり、これが竹刀、木刀又は刀の柄の正しい握り方の修得の妨げとなっている。しかも、上記の口伝指導は、指導者の経験や指導内容、指導を受ける者の能力によって、技術の修得が左右される。また、長い時間と多くの稽古を要する。正しく修得できない場合が多い。
【０００４】
この発明は、上記のような課題に鑑み、その課題を解決すべく創案されたものであって、その目的とするところは、竹刀、木刀又は刀の柄の正しい握り方の修得を通じて、正しい構えと素振りを短期間で正確に修得できる剣道素振り用グローブを提供することにある。
【０００５】
【課題を解決するための手段】
以上の目的を達成するために、この発明は、剣道練習具であって、竹刀、木刀又は刀の柄に装着される柄保持部と、柄保持部の表面に固定された指ガイド部とを有する手段よりなるものである。
【０００６】
ここで、請求項１の好ましい態様として、上記の指ガイド部は、竹刀、木刀又は刀の柄を上から握り、小指、薬指、中指を締め、人差し指と親指を軽く添えられる箇所に対応する柄保持部表面の各位置に固定して取り付けられている。
【０００７】
また、請求項１，請求項２の好ましい態様として、上記の指ガイド部は指の関節が自由に動く構造である。
【０００８】
また、請求項１〜請求項３の好ましい態様として、上記の指ガイド部は、手の指を通すための、孔を有する。
【０００９】
また、請求項４の好ましい態様として、上記の指ガイド部の孔は、容易に指が出し入れできる大きさである。
【００１０】
また、請求項１の好ましい態様として、上記の柄保持部は、竹刀、木刀又は刀の柄の接触部に滑り止めが施してある。
【００１１】
また、請求項１，請求項６の好ましい態様として、上記の柄保持部には、竹刀、木刀又は刀の柄に該柄保持部を固定するための面ファスナーを有する。
【００１２】
この剣道素振り用グローブを装着して、剣道形、素振り、打ち込み等稽古に際しても構えが崩れることもなく常に安定しているため、正しい構えと素振りを修得でき、不適切な癖もつかない。また、個人特有の癖を矯正出来る。
【００１３】
よって、剣道の構えと素振りを短期間で修得でき、剣道の総合的な技術の向上を図ることができる。
【００１４】
【発明の実施の形態】
以下、図面に記載の発明の実施の形態に基づいて、この発明をより具体的に説明する。
ここで、図１は剣道素振り用グローブを示す斜視図、図２は右手用剣道素振り用グローブの柄保持部と指ガイド部の構成を示す平面図、図３は左手用剣道素振り用グローブの柄保持部と指ガイド部の構成を示す平面図である。
【００１５】
図１において、右手用剣道素振り用グローブＡ及び左手用剣道素振り用グローブＢは、竹刀、木刀又は刀の柄の正しい握り方の修得を目的として使用される剣道練習具であり、柄の正しい握り方の修得を通じて、正しい構えと素振りを短期間で正確に修得できる特徴を有している。
【００１６】
図２において、右手用剣道素振り用グローブＡは、竹刀、木刀又は刀の柄に装着される右手用柄保持部１０ａと、該柄保持部１０ａの表面に固定された右手用指ガイド部２０ａ〜２４ａとから構成される。
【００１７】
右手用指ガイド部２０ａ〜２４ａは、右手の各指に対応しており、親指ガイド部２０ａ、人差し指ガイド部２１ａ、中指ガイド部２２ａ、薬指ガイド部２３ａ、小指ガイド部２４ａから構成される。
【００１８】
右手用指ガイド部２０ａ〜２４ａは、竹刀、木刀又は刀の柄を上から握り、小指、薬指、中指を締め、人差し指と親指を軽く添えられる箇所に対応する柄保持部１０ａの表面の各位置に固定して取り付けられている。
【００１９】
即ち、図２の右手用剣道素振り用グローブＡの展開図においては、親指ガイド部２０ａは四角形の柄保持部１０ａの左上部側の位置に孔の方向を斜め上向きにして固定して取り付けられている。これに対して、人差し指ガイド部２１ａ、中指ガイド部２２ａ、薬指ガイド部２３ａ、小指ガイド部２４ａは、四角形の柄保持部１０ａの右上部側のやや中央寄りから右下部側のやや端部寄りの位置に向けて順に連接状態で、各孔の方向を斜め上向きにしてそれぞれ固定して取り付けられている。
【００２０】
上記の右手用指ガイド部２０ａ〜２４ａは、手の各指を通すための、両端開口の筒状の孔からそれぞれ構成されており、又、右手用指ガイド部２０ａ〜２４ａの各孔は、容易に指が出し入れできる大きさに形成されている。
【００２１】
また、上記の右手用指ガイド部２０ａ〜２４ａは、各指の関節が自由に動くように、つまり各指を関節で曲げたり伸ばしたりする際に妨げとならない構造になっている。このため、両端開口の筒状の孔からなる右手用指ガイド部２０ａ〜２４ａでは、孔の長さが各指の付け根から最初の関節までの長さより少し短くなっている。
【００２２】
表面に右手用指ガイド部２０ａ〜２４ａが固定して取り付けられている右手用柄保持部１０ａは、図２に示すように、展開時には四角形の形状からなり、竹刀、木刀又は刀の柄の接触部となる裏面側に滑り止めが施してあり、柄装着時には固定されて滑ることがない構造になっている。
【００２３】
また、図２の展開図において、四角形の右手用柄保持部１０ａの右側端部の表面には、竹刀、木刀又は刀の柄に該柄保持部１０ａを固定するための面ファスナー３０ａが設けられている。この面ファスナー３０ａは柄装着時には右手用柄保持部１０ａの左側端部の裏面の面ファスナー接着面３１ａに接着される。
【００２４】
右手用の剣道素振り用グローブＡを構成する右手用柄保持部１０ａ及び右手用指ガイド部２０ａ〜２４ａの素材には、例えば皮、布、化学繊維などが使用される。
【００２５】
図３において、左手用剣道素振り用グローブＢは、竹刀、木刀又は刀の柄に装着される左手用柄保持部１０ｂと、該柄保持部１０ｂの表面に固定された左手用指ガイド部２０ｂ〜２４ｂとから構成される。
【００２６】
左手用指ガイド部２０ｂ〜２４ｂは、左手の各指に対応しており、親指ガイド部２０ｂ、人差し指ガイド部２１ｂ、中指ガイド部２２ｂ、薬指ガイド部２３ｂ、小指ガイド部２４ｂから構成される。
【００２７】
左手用指ガイド部２０ｂ〜２４ｂは、竹刀、木刀又は刀の柄を上から握り、小指、薬指、中指を締め、人差し指と親指を軽く添えられる箇所に対応する柄保持部１０ｂの表面の各位置に固定して取り付けられている。
【００２８】
即ち、図３の左手用剣道素振り用グローブＢの展開図においては、親指ガイド部２０ｂは四角形の柄保持部１０ｂの右上部側の位置に孔の方向を斜め上向きにして固定して取り付けられている。これに対して、人差し指ガイド部２１ｂ、中指ガイド部２２ｂ、薬指ガイド部２３ｂ、小指ガイド部２４ｂは、四角形の柄保持部１０ｂの左上部側のやや中央寄りから左下部側のやや端部寄りの位置に向けて順に連接状態で、各孔の方向を斜め上向きにしてそれぞれ固定して取り付けられている。
【００２９】
上記の左手用指ガイド部２０ｂ〜２４ｂは、手の各指を通すための、両端開口の筒状の孔からそれぞれ構成されており、又、左手用指ガイド部２０ｂ〜２４ｂの各孔は、容易に指が出し入れできる大きさに形成されている。
【００３０】
また、上記の左手用指ガイド部２０ｂ〜２４ｂは、各指の関節が自由に動くように、つまり各指を関節で曲げたり伸ばしたりする際に妨げとならない構造になっている。このため、両端開口の筒状の孔からなる左手用指ガイド部２０ｂ〜２４ｂでは、孔の長さが各指の付け根から最初の関節までの長さより少し短くなっている。
【００３１】
表面に左手用指ガイド部２０ｂ〜２４ｂが固定して取り付けられている左手用柄保持部１０ｂは、図３に示すように、展開時には四角形の形状からなり、竹刀、木刀又は刀の柄の接触部となる裏面側に滑り止めが施してあり、柄装着時には固定されて滑ることがない構造になっている。
【００３２】
また、図３の展開図において、四角形の左手用柄保持部１０ｂの左側端部の表面には、竹刀、木刀又は刀の柄に該柄保持部１０ｂを固定するための面ファスナー３０ｂが設けられている。この面ファスナー３０ｂは柄装着時には左手用柄保持部１０ｂの右側端部の裏面の面ファスナー接着面３１ｂに接着される。
【００３３】
左手用の剣道素振り用グローブＢを構成する左手用柄保持部１０ｂ及び左手用指ガイド部２０ｂ〜２４ｂの素材には、例えば皮、布、化学繊維などが使用される。
【００３４】
次に、上記発明の実施の形態の構成に基づく剣道素振り用グローブの使用状況について以下説明する。
まず、右手用剣道素振り用グローブＡの右手用指ガイド部２０ａ〜２４ａが固定された右手用柄保持部１０ａと、左手用剣道素振り用グローブＢの左手用指ガイド部２０ｂ〜２４ｂが固定された左手用柄保持部１０ｂとを竹刀、木刀又は刀の柄に取り付け、面ファスナー３０ａ，３０ｂによって固定して柄に装着する。竹刀、木刀又は刀の柄に装着された剣道素振り用グローブＡの右手用指ガイド部２０ａ〜２４ａ及び剣道素振り用グローブＢの左手用指ガイド部２０ｂ〜２４ｂに右手及び左手の各指を通して中段の構えとなる。
【００３５】
中段の構えから上下素振りを行う。手の内、手の握りが崩れないため上下素振り動作の際、無駄な動きがなく、正しい上下素振りを修得できる。また、個人特有の悪癖の矯正にもなり、不適切な癖もつかない。よって、短期間で剣道の上達を図ることが出来る。
【００３６】
この発明の剣道素振り用グローブＡ，Ｂを使用すれば、指導者の指導内容や個々人の運動能力に左右されることなく、正い構えと上下素振り等を短期間で修得できる。また、一人の指導者で複数の人数を同時に指導することが容易になる。初心者の多い少年剣道や中学生のクラブ活動の指導には最適である。
【００３７】
素振り等だけでなく、木刀や刀を使った剣道形や初心者の打ち込み稽古に大変有効である。
【００３８】
なお、この発明は上記発明の実施の形態に限定されるものではなく、この発明の精神を逸脱しない範囲で種々の改変をなし得ることは勿論である。
【００３９】
【発明の効果】
以上の記載より明らかなように、この発明に係る剣道素振り用グローブによれば、素振りの最中に手や指の疲れ又は痛みから悪い握り方になって肉刺等ができるのを防ぐことができ、短期間で竹刀、木刀又は刀の柄の正しい握り方を修得でき、柄の正しい握り方の修得を通じて、基本の構え、上下素振り等の技術修得はもちろん、剣道形や実践に近い打ち込み稽古を正しく修得できる。また、無駄な動きがなく不適切な癖もつかない。よって短期間で剣道の技術向上を図ることが出来る等、極めて新規的有益なる効果を奏するものである。
【図面の簡単な説明】
【図１】この発明の実施の形態に基づく剣道素振り用グローブを示す斜視図である。
【図２】この発明の実施の形態に基づく右手用剣道素振り用グローブの柄保持部と指ガイド部の構成を示す平面図である。
【図３】この発明の実施の形態に基づく左手用剣道素振り用グローブの柄保持部と指ガイド部の構成を示す平面図である。
【符号の説明】
Ａ　　右手用剣道素振り用グローブ
１０ａ　右手用柄保持部
２０ａ　右手用親指ガイド部
２１ａ　右手用人差し指ガイド部
２２ａ　右手用中指ガイド部
２３ａ　右手用薬指ガイド部
２４ａ　右手用小指ガイド部
３０ａ　面ファスナー
３１ａ　面ファスナー接着面
Ｂ　　左手用剣道素振り用グローブ
１０ｂ　左手用柄保持部
２０ｂ　左手用親指ガイド部
２１ｂ　左手用人差し指ガイド部
２２ｂ　左手用中指ガイド部
２３ｂ　左手用薬指ガイド部
２４ｂ　左手用小指ガイド部
３０ｂ　面ファスナー
３１ｂ　面ファスナー接着面
【図１】
2004073470.tif 000003
【図２】
2004073470.tif 000004
【図３】
2004073470.tif 000005